(57)【要約】【課題】光学シートの頂部及び谷部に形成される不完全形状を低減し、スクリーンの映像鮮明性を向上させ、良好な映像を得ることができるファインピッチの光学シートの転写型製造方法，光学シートの転写型，光学シート，透過型スクリーン，背面投射型表示装置を提供する。【解決手段】切削工程（ａ）を行って作製したメス型４１を転写してオス型４２を作製する。このオス型４２には、メス型４１に生じているバリ及び波打ちが反転して転写されているので、このオス型４２を希硝酸溶液Ｎ中に浸すバリ処理工程（ｅ）を行う。この処理により、オス型４２のバリ及び波打ちを軽減することができる。さらに、オス型４２を利用してメス型４３を作製し、このメス型４３を用いてフレネルレンズシート２０を成型する。【選択図】図３−１
2006126452.tif 000002
【特許請求の範囲】
【請求項１】
少なくとも片面に微少な単位光学要素を多数並べて配置した光学シートを成型する転写型を製造する方法であって、
前記単位光学要素に対応する反転形状を、その配列ピッチ０．２ｍｍ以下となるように切削により形成する切削工程と、
前記切削工程により形成された反転形状の切削型の谷部及び頂部に発生するバリ及び波打ちの少なくとも一方を含む不完全形状、及び／又は、前記切削型から直接又は間接的に転写された転写型に形成された前記不完全形状に対応する転写不完全形状を化学的又は物理的に低減するバリ処理工程と、
を有する光学シートの転写型製造方法。
【請求項２】
請求項１に記載の転写型製造方法において、
前記バリ処理工程は、前記不完全形状、及び／又は、前記転写不完全形状を、前記単位光学要素の配列ピッチの１／１０以下の量に低減すること、
を特徴とする光学シートの転写型製造方法。
【請求項３】
請求項１又は請求項２に記載の光学シートの転写型製造方法において、
前記バリ処理工程は、化学的に転写型の素材を溶解する溶解処理により前記不完全形状、及び／又は、前記転写不完全形状を低減すること、
を特徴とする光学シートの転写型製造方法。
【請求項４】
請求項１又は請求項２に記載の光学シートの転写型製造方法において、
前記バリ処理工程は、ブラスト処理により前記不完全形状、及び／又は、前記転写不完全形状を低減すること、
を特徴とする光学シートの転写型製造方法。
【請求項５】
請求項１から請求項４までのいずれか１項に記載の転写型製造方法において、
前記切削工程により切削する前記反転形状は、フレネルレンズ形状を反転した形状であること、
を特徴とする光学シートの転写型製造方法。
【請求項６】
請求項１から請求項５までのいずれか１項に記載の転写型製造方法により製造された光学シートの転写型。
【請求項７】
少なくとも片面に微少な単位光学要素を多数並べて配置した光学シートを成型する転写型であって、
前記単位光学要素に対応し、配列ピッチ０．２ｍｍ以下で配列された反転形状を備え、
前記反転形状の転写型谷部及び頂部に残存するバリ及び波打ちの少なくとも一方は、前記単位光学要素の配列ピッチの１／１０以下の量であること、
を特徴とする光学シートの転写型。
【請求項８】
請求項７に記載の光学シートの転写型において、
前記反転形状は、化学的に転写型の素材を溶解する溶解処理により前記バリ及び前記波打ちの少なくとも一方が低減されていること、
を特徴とする光学シートの転写型。
【請求項９】
請求項７に記載の光学シートの転写型において、
前記反転形状は、ブラスト処理により前記バリ及び前記波打ちの少なくとも一方が低減されていること、
を特徴とする光学シートの転写型。
【請求項１０】
請求項７から請求項９までのいずれか１項に記載の光学シートの転写型において、
前記反転形状は、フレネルレンズ形状を反転した形状であること、
を特徴とする光学シートの転写型。
【請求項１１】
請求項６から請求項１０までのいずれか１項に記載の光学シートの転写型を直接、又は、間接的に用いて成型された光学シート。
【請求項１２】
少なくとも片面に微少な単位光学要素を、その配列ピッチ０．２ｍｍ以下となるように多数並べて配置した光学シートであって、
前記単位光学要素の谷部及び頂部に残存しているバリ及び波打ちの少なくとも一方は、前記バリ及び波打ちの無い状態における前記谷部又は頂部の位置からのずれ量が前記配列ピッチの１／１０以下であること、
を特徴とする光学シート。
【請求項１３】
請求項１１又は請求項１２に記載の光学シートを含み、背面側から投射された映像光を観察者側へ透過して表示する透過型スクリーン。
【請求項１４】
映像光を投射する光源部と、
前記光源部からの映像光が投射される請求項１３に記載の透過型スクリーンと、
を備える背面投射型表示装置。
【発明の詳細な説明】
【技術分野】
【０００１】
本発明は、リアプロジェクションテレビ等に使用される光学シートの転写型製造方法，光学シートの転写型，光学シート，透過型スクリーン，背面投射型表示装置に関するものである。
【背景技術】
【０００２】
背面投射型表示装置では、透過型スクリーンに対して光源部から映像光を投射して、その映像光を透過型スクリーンを透過させて表示を行っている。この透過型スクリーンには、フレネルレンズシート、拡散板等が用いられている。フレネルレンズシートは、投射された映像光を観察者側に集光させ画面の輝度均一性を向上させている。また、拡散板は、水平方向の視野特性を制御する役割を果たしており、さらにはブラックストライプと呼ばれる光遮光部を形成することによりコントラストを向上させている。また、拡散板のさらに観察者側には、前面板が設けられる場合が多い。この前面板は、フレネルレンズシートと拡散板を保護するために装着されており、様々な表面処理、例えば、ハードコート、反射防止、防眩、帯電防止等の処理が行われている。また、近年では拡散板を前面板に貼り合わせた形態の物も見られるようになった。
【０００３】
透過型スクリーンに使用されるフレネルレンズシートは、近年映像のデジタル化に伴う高画質化よりファインピッチ化が進んできた。フレネルレンズシートは、一般に、切削加工によりフレネルレンズ形状のメス型（又はオス型を切削し電鋳などによりメス型を複製する）を作成し、ＵＶ硬化樹脂を用いて金型形状を転写して成型される。しかし、金型の切削加工時に、バリや波打ちがメス型の頂部や谷部に発生することは、避けられない。したがって、従来は、金型を使用して成型したフレネルレンズシートにも、金型のバリや波打ちに対応する形状が賦形されてしまう場合があった。
なお、本明細書中において、バリとは、切削時の切りクズが少々残っている状態を指し、また、波打ちとは、金型自身が切削中の微震等により少々倒れてしまった状態を指すものとする。
【０００４】
図８は、従来のフレネルレンズシートの製造過程において、生じるバリと、その影響について説明する図である。
図８（ａ）では、金型１５０を切削工具Ｔにより切削して作成している状態を示している。このとき、バリ１５１が発生したとする。この金型１５０を用いて成型したフレネルレンズシート１１０には、不完全形状部１１１が形成されてしまう。そして、このフレネルレンズシート１１０に映像光を投射したとすると、不完全形状部１１１において映像光が拡散するなどして、観察されてしまい、表示される映像が劣化してしまう。
【０００５】
特に、近年のファインピッチ化に伴い、シート全体に対して頂部と谷部が占める割合が増加したことから、金型のバリ及び波打ちに起因する映像品質の低下という問題が顕著になってきた。
さらに、このファインピッチ化によって、切削工具の先端部のごく僅かな部分を用いて金型全体を加工することとなり、金型の切削加工時に切削工具に掛かる負担が増加し、切削工具の磨耗などによって、バリや波打ちの発生する確率がふえ、これらの影響が際立つようになってきた。
【０００６】
また、背面投射型表示装置の薄型化を図るために、透過型スクリーンに対して極端に大きな入射角度で映像光を投射する背面投射型表示装置が開発されている。そのような背面投射型表示装置の透過型スクリーンでは、従来からのフレネルレンズシートに代わって、多数のプリズム形状を多数並べたプリズムシートが用いられる場合がある。このプリズムシートは、光源部から入射した光を、その全反射面によって、観察者側へ全反射して偏向させることにより、大きな入射角度で投射された映像光であっても、効率よく利用することを可能にしている。
しかし、このようなプリズムシートでは、プリズム形状の鋭角化によってバリや波打ちの発生しやすい状況となっている。
【０００７】
特許文献１では、フレネルレンズ形状のオス型を切削し、樹脂を用いてそのオス型からメス型をとった後に、谷部（バリ）を埋めることにより、金型のバリを低減している。
しかし、特許文献１の手法では、表面張力によってフレネルレンズ形状の同心円の中心（いわゆるフレネル中心）のような、略平坦な部分の形状が埋まってしまうという問題があった。
【特許文献１】特開２００１−１５０４５３号公報
【発明の開示】
【発明が解決しようとする課題】
【０００８】
本発明の課題は、光学シートの頂部及び谷部に形成される不完全形状を低減し、スクリーンの映像鮮明性を向上させ、良好な映像を得ることができるファインピッチの光学シートの転写型製造方法，光学シートの転写型，光学シート，透過型スクリーン，背面投射型表示装置を提供することである。
【課題を解決するための手段】
【０００９】
本発明は、以下のような解決手段により、前記課題を解決する。なお、理解を容易にするために、本発明の実施例に対応する符号を付して説明するが、これに限定されるものではない。
請求項１の発明は、少なくとも片面に微少な単位光学要素を多数並べて配置した光学シート（２０，２０−２）を成型する転写型を製造する方法であって、前記単位光学要素に対応する反転形状を、その配列ピッチ０．２ｍｍ以下となるように切削により形成する切削工程と、前記切削工程により形成された反転形状の切削型の谷部及び頂部に発生するバリ及び波打ちの少なくとも一方を含む不完全形状、及び／又は、前記切削型から直接又は間接的に転写された転写型に形成された前記不完全形状に対応する転写不完全形状を化学的又は物理的に低減するバリ処理工程と、を有する光学シートの転写型製造方法である。
【００１０】
請求項２の発明は、請求項１に記載の転写型製造方法において、前記バリ処理工程は、前記不完全形状、及び／又は、前記転写不完全形状を、前記単位光学要素の配列ピッチの１／１０以下の量に低減すること、を特徴とする光学シートの転写型製造方法である。
請求項３の発明は、請求項１又は請求項２に記載の光学シートの転写型製造方法において、前記バリ処理工程は、化学的に転写型の素材を溶解する溶解処理により前記不完全形状、及び／又は、前記転写不完全形状を低減すること、を特徴とする光学シートの転写型製造方法である。
請求項４の発明は、請求項１又は請求項２に記載の光学シートの転写型製造方法において、前記バリ処理工程は、ブラスト処理により前記不完全形状、及び／又は、前記転写不完全形状を低減すること、を特徴とする光学シートの転写型製造方法である。
請求項５の発明は、請求項１から請求項４までのいずれか１項に記載の転写型製造方法において、前記切削工程により切削する前記反転形状は、フレネルレンズ形状を反転した形状であること、を特徴とする光学シートの転写型製造方法である。
【００１１】
請求項６の発明は、請求項１から請求項５までのいずれか１項に記載の転写型製造方法により製造された光学シートの転写型（４３，５１）である。
【００１２】
請求項７の発明は、少なくとも片面に微少な単位光学要素を多数並べて配置した光学シート（２０，２０−２）を成型する転写型であって、前記単位光学要素に対応し、配列ピッチ０．２ｍｍ以下で配列された反転形状を備え、前記反転形状の転写型谷部及び頂部に残存するバリ及び波打ちの少なくとも一方は、前記単位光学要素の配列ピッチの１／１０以下の量であること、を特徴とする光学シートの転写型（４３，５１）である。
【００１３】
請求項８の発明は、請求項７に記載の光学シートの転写型において、前記反転形状は、化学的に転写型の素材を溶解する溶解処理により前記バリ及び前記波打ちの少なくとも一方が低減されていること、を特徴とする光学シートの転写型（４３）である。
請求項９の発明は、請求項７に記載の光学シートの転写型において、前記反転形状は、ブラスト処理により前記バリ及び前記波打ちの少なくとも一方が低減されていること、を特徴とする光学シートの転写型（５１）である。
請求項１０の発明は、請求項７から請求項９までのいずれか１項に記載の光学シートの転写型において、前記反転形状は、フレネルレンズ形状を反転した形状であること、を特徴とする光学シートの転写型（４３，５１）である。
請求項１１の発明は、請求項６から請求項１０までのいずれか１項に記載の光学シートの転写型を直接、又は、間接的に用いて成型された光学シート（２０，２０−２）である。
請求項１２の発明は、少なくとも片面に微少な単位光学要素を、その配列ピッチ０．２ｍｍ以下となるように多数並べて配置した光学シートであって、前記単位光学要素の谷部及び頂部に残存しているバリ及び波打ちの少なくとも一方は、前記バリ及び波打ちの無い状態における前記谷部又は頂部の位置からのずれ量が前記配列ピッチの１／１０以下であること、を特徴とする光学シート（２０，２０−２）である。
【００１４】
請求項１３の発明は、請求項１１又は請求項１２に記載の光学シート（２０，２０−２）を含み、背面側から投射された映像光を観察者側へ透過して表示する透過型スクリーン（１０）である。
【００１５】
請求項１４の発明は、映像光を投射する光源部（２）と、前記光源部からの映像光が投射される請求項１３に記載の透過型スクリーン（１０）と、を備える背面投射型表示装置（１）である。
【発明の効果】
【００１６】
本発明によれば、以下の効果を奏することができる。
（１）バリ及び波打ちの少なくとも一方を化学的又は物理的に低減するので、光学シートの頂部及び谷部に形成される不完全形状を低減し、スクリーンの映像鮮明性を向上させ、良好な映像を得ることができる。
【００１７】
（２）バリ処理をおこない、バリ及び波打ちの少なくとも一方を、単位光学要素に対応する反転形状の配列ピッチの１／１０以下の量に低減するので、バリ及び波打ちに起因する画質の劣化を目立たなくすることができる。
【００１８】
（３）化学的に転写型の素材を溶解する溶解処理によりバリ及び波打ちの少なくとも一方を低減するので、バリ及び波打ちの双方を効果的に低減することができる。
【００１９】
（４）ブラスト処理によりバリ及び波打ちの少なくとも一方を低減するので、より簡単にバリ及び波打ちを低減することができる。
【００２０】
（５）成型型の反転形状は、フレネルレンズ形状を反転した形状であるので、バリ及び波打ちに起因する映像劣化が現れやすいフレネルレンズシートのバリ及び波打ちを低減することができる。
【発明を実施するための最良の形態】
【００２１】
光学シートの頂部及び谷部の不完全形状を低減し、スクリーンの映像鮮明性を向上させ、良好な映像を得るという目的を、転写型の製造工程にバリ及び波打ちを低減する処理を追加することにより実現した。
【実施例１】
【００２２】
図１は、本実施例における背面投射型表示装置１の断面を示す図である。
本実施例における背面投射型表示装置１は、光源部２，ミラー３，透過型スクリーン１０を有している。
本実施例における光源部２は、ＣＲＴを用いて映像光を出射し、この光源部２から出射される映像光は、ミラー３により反射されて透過型スクリーン１０に投射される。
図２は、透過型スクリーン１０を示す図である。図２（ａ）は、斜視図を示し、図２（ｂ）は、縦断面を示している。
【００２３】
本実施例における透過型スクリーン１０は、フレネルレンズシート２０と、拡散板３０とを有している。
フレネルレンズシート２０は、光源部２から広がりながら投射される映像光を集光して観察者側へ出射する働きを主に有している。フレネルレンズシート２０の入射面側には、単位レンチキュラー形状がピッチ０．１ｍｍで並んで水平方向に延在し、垂直方向において光を制御するレンチキュラーレンズ部（垂直制御レンチキュラーレンズ部）２１が形成されている。また、フレネルレンズシート２０の出射側には、ピッチ０．０７ｍｍのフレネルレンズ部２２が形成されている。
なお、本実施例におけるフレネルレンズシート２０には、レンチキュラーレンズ部２１が形成され、垂直方向の輝度分布を改善する例を示したが、これに限らず、例えば、光源部が液晶素子、ＤＭＤ（デジタル・マイクロミラー・デバイス）等を用いている場合には、レンチキュラーレンズ部を設けなくてもよい。
【００２４】
拡散板３０は、押出し成型法によりアクリル（屈折率１．４９）を母材とし、内部に光拡散粒子として平均粒径２０μｍ、屈折率１．５６の球状の架橋アクリル−スチレン共重合樹脂からなるビーズを含有したシートである。拡散板３０により、映像光が適度に拡散され、視野角を広げることができる。
なお、拡散板３０は、ビーズを含有することにより光を拡散する例を示したが、例えば、レンチキュラーレンズシートを用いて、垂直方向や水平方向等の特定の方向に光を拡散するようにしてもよい。
【００２５】
図３−１，３−２は、フレネルレンズシート２０の製造方法を、その成型に使用する転写型の製造過程から示した図である。
以下、図３−１，３−２に従い、フレネルレンズシート２０の製造方法について、フレネルレンズシート２０を成型する転写型の製造方法も含めて説明する。
（メス型４１切削工程：図３−１（ａ），（ｂ））
まず、真鍮板を、ダイヤモンドバイトである切削工具Ｔを用いて旋盤により切削加工を行い、フレネルレンズ部２２のメス型４１を形成する。このメス型４１には、バリ及び波打ちを含んだ不完全形状が多数存在している。
【００２６】
（オス型４２作製工程：図３−１（ｃ），（ｄ））
メス型４１を用いて、Ｎｉ電鋳（ニッケル電気鋳造）によりオス型４２を作製する。Ｎｉ電鋳は、高精度の転写性を有し、微細な表面形状を確実に再現可能である反面、このオス型４２には、メス型４１に残っていたバリ及び波打ちが転写され、転写不完全形状として形成されてしまっている。
【００２７】
（バリ処理工程：図３−１（ｅ））
オス型４２に転写されているバリや波打ちに相当する部分を低減するために、バリ処理工程を行う。本実施例では、バリ及び波打ちに相当する部分を有したオス型４２を希硝酸溶液Ｎ中に浸して、化学的な溶解処理によってバリ及び波打ちを軽減する。ここで、希硝酸溶液Ｎの濃度、オス型４２を希硝酸溶液Ｎ中に浸す時間によってバリ及び波打ちの軽減される量が異なるが、あまり溶解が進んでしまうと、フレネルレンズ形状そのものが崩れてきてしまうので、注意が必要である。そこで、本実施例では、バリ及び波打ちの軽減目安を以下のように決めた。
【００２８】
図４は、フレネルレンズシート２０の出射側（フレネルレンズ部２２側）をシート面の法線方向から見た拡大図である。図４（ａ）は、バリＢ及び波打ちＷがある状態を示し、図４（ｂ）は、バリも波打ちも発生していない理想的な状態を示している。
図４において、フレネルレンズ面２２ａと非レンズ面２２ｂとの間の頂点部分にバリＢ及び波打ちＷが発生している。本実施例のように、配列ピッチが０．２ｍｍ以下のファインピッチのフレネルレンズにおいては、配列ピッチをＰとし、バリ又は波打ちの量をδとしたときに、δ＜Ｐ／１０を満たせば、バリ及び波打ちに起因する画質の劣化が目立つことは無く、本実施例では、これを目標として処理を行った。なお、δ＜Ｐ／２０を満たすようにすると、バリ及び波打ちに起因する画質の劣化は、完全に排除することができる。
【００２９】
ここで、バリ又は波打ちの量δは、シート法線方向から見た状態（図４の状態）におけるフレネルレンズ形状の理想線（設計上の頂点位置）からのずれ量である。バリや波打ちの確認方法としては、シート（オス型４２）を法線方向（真上）から顕微鏡などの拡大鏡で観察し、フレネルレンズの理想線からのばらつきを見るとよい。
本実施例におけるフレネルレンズ部２２は、上述のようにピッチ０．０７ｍｍで単位フレネルレンズ形状が並んでおり、バリＢ及び波打ちＷの量δが０．００７ｍｍ以下となるまで、バリ処理工程を行った。具体的には、０．８重量％濃度の希硝酸溶液Ｎに２４時間、オス型４２を浸漬し、取り出した（図３−１（ｆ））。
溶解処理することによりオス型４２の頂部のバリＢ及び波打ちＷは、ピッチの１／１０以下に軽減された。また、オス型４２の表面の微細な傷やざらつき及び金属結晶の結晶単位に沿って溶解が進行するためオス型４２のマット処理も同時に行うことができる。
【００３０】
（メス型４３作製工程：図３−２（ｇ），（ｈ））
図３−２に移って、バリ処理工程によりバリＢ及び波打ちＷが軽減されたオス型４２よりさらにフレネルレンズ形状のメス型４３を作製する。このメス型４３は、オス型４２の形状が転写されるので、バリ及び波打ちの軽減されたメス型となる。
【００３１】
（フレネルレンズ部形成工程：図３−２（ｉ）〜（ｋ））
メス型４３を用いて、フレネルレンズ部２２を形成する。なお、アクリル（屈折率１．４９）を用いた押出方式によりレンチキュラーレンズ形状（レンチキュラーレンズ部２１）を予め片面に形成したシートを作製しておく。このシートのレンチキュラーレンズ部２１とは反対側に、紫外線硬化型樹脂を塗布し、メス型４３と接合させた状態で紫外線を照射して紫外線硬化型樹脂を硬化させる。メス型４３から離型することにより、フレネルレンズシート２０を得ることができる。
【００３２】
本実施例において、バリ処理工程を行ったメス４３を用いて成型したフレネルレンズシート２０は、表面の微細な傷やざらつきが無い。また、フレネル頂部が丸まっているため拡散板３０とこすれる可能性が低い。さらに、表面の微細な傷やざらつきをなくした上で表面がマット加工されているため外光反射成分を拡散することにより画面の白浮きを抑えることができる。
【００３３】
（比較例）
ここで、比較例として、上記バリ処理工程を行わない他は、本実施例と同様な工程により作成したフレネルレンズシートを作製した。なお、この比較例のフレネルレンズシートは、本実施例におけるフレネルレンズシート２０と同一素材により形成され、基本的に同一形状であるが、フレネルレンズ形状のバリ及び波打ちの量が、０．００７ｍｍ（フレネルレンズ形状のピッチ０．0７ｍｍの１／１０）よりも大きくなっている。
【００３４】
（比較例と実施例１との比較）
実施例１によるフレネルレンズシート２０と上記比較例によるフレネルレンズシートとを、それぞれ拡散板３０と合わせて背面投射型表示装置にセットして表示される映像を比較した。
図５は、比較例と実施例１それぞれによるフレネルレンズシートを使用した背面投射型表示装置に表示される像を比較したときの概容を説明する図である。図５（ａ）は、比較例を用いた場合の表示映像を示し、図５（ｂ）は、実施例１を用いた場合の表示映像を示している。
比較例のフレネルレンズシートを使用した場合には、近づいて立ち見で下方を見るとスクリーン下部（図５（ａ）中の領域Ｒ）にざらつきと強い着色（レインボー）が観察され、また、離れて正面から見るとフレネルレンズによる外光反射の白浮きがはっきりと確認できた。それに対し、実施例１によるフレネルレンズシート２０を用いた場合には、ざらつきは僅かであり、外光反射による白浮きも殆ど確認することができなかった。
【実施例２】
【００３５】
実施例２は、フレネルレンズシートを形成する金型を直接切削することとし、また、バリ処理工程を他の方法とした他は、実施例１と同様であり、フレネルレンズシートの形態も実施例１と同一であることから、これらの共通する部分の説明は省略し、製造工程についてのみ説明を行う。
図６は、実施例２におけるフレネルレンズシート２０−２の製造方法を、その成型に使用する転写型の製造過程から示した図である。
【００３６】
（メス型５１切削工程：図６（ａ），（ｂ））
まず、ニッケル板を、ダイヤモンドバイトである切削工具Ｔを用いて旋盤により切削加工を行い、フレネルレンズ部２２−２のメス型５１を形成する。このメス型５１には、バリ及び波打ちが多数存在している。
【００３７】
（バリ処理工程：図６（ｃ））
メス型５１に転写されているバリや波打ちに相当する部分を低減するために、バリ処理工程を行う。本実施例では、ブラスト処理することによってもバリ及び波打ちを低減する。なお、バリ及び波打ちを低減する量は、実施例１と同様に、δ＜Ｐ／１０を目標として処理を行った。
【００３８】
（フレネルレンズ部形成工程：図６（ｄ）〜（ｆ））
メス型５１を用いて、フレネルレンズ部２２−２を形成する。なお、アクリル（屈折率１．４９）を用いた押出方式によりレンチキュラーレンズ形状（レンチキュラーレンズ部２１−２）を予め片面に形成したシートを作製しておく。このシートのレンチキュラーレンズ部２１−２とは反対側に、紫外線硬化型樹脂を塗布し、メス型５１と接合させた状態で紫外線を照射して紫外線硬化型樹脂を硬化させる。メス型５１から離型することにより、フレネルレンズシート２０−２を得ることができる。
【００３９】
本実施例により得られたフレネルレンズシート２０−２を用いた背面投射型表示装置についても、実施例１と同様に、良好な映像を観察することができた。
【００４０】
（変形例）
以上説明した実施例に限定されることなく、種々の変形や変更が可能であって、それらも本発明の均等の範囲内である。
実施例１において、ニッケル製の型を希硝酸を用いて溶解を行う例を示したが、これに限らず、例えば、他の材料の型を用いてもよいし、溶解に使用する薬品についても、他の薬品を用いてもよい。
【００４１】
また、各実施例において、フレネルレンズシートを成型する転写型を例に挙げて説明したが、これに限らず、例えば、図７に示すように、透過型スクリーンに対して極端に大きな入射角度で映像光を投射する背面投射型表示装置に使用するプリズムシート２０−３に本発明を適用してもよい。この図７に示すプリズムシート２０−３は、入射面２２ａ−３に入射した映像光Ｌ１を全反射面２２ｂ−３により観察側へ効率よく偏向して出射するものである。このようなプリズムシートに本発明を適用することにより、プリズム形状の鋭角化によってバリや波打ちの発生しやすい状態となっていても、バリ及び波打ち等の不完全形状を低減することができる。
さらに、その他、各種光学シートのバリ及び波打ちを軽減する場合についても、本発明を有効に利用することができる。
【図面の簡単な説明】
【００４２】
【図１】本実施例における背面投射型表示装置１の断面を示す図である。
【図２】透過型スクリーン１０を示す図である。
【図３−１】フレネルレンズシート２０の製造方法を、その成型に使用する転写型の製造過程から示した図である。
【図３−２】フレネルレンズシート２０の製造方法を、その成型に使用する転写型の製造過程から示した図である。
【図４】フレネルレンズシート２０の出射側（フレネルレンズ部２２側）をシート面の法線方向から見た拡大図である。
【図５】比較例と実施例１それぞれによるフレネルレンズシートを使用した背面投射型表示装置に表示される像を比較したときの概容を説明する図である。
【図６】実施例２におけるフレネルレンズシート２０−２の製造方法を、その成型に使用する転写型の製造過程から示した図である。
【図７】本発明の変形例として適用することができるプリズムシートを説明する図である。
【図８】従来のフレネルレンズシートの製造過程において、生じるバリと、その影響について説明する図である。
【符号の説明】
【００４３】
１  背面投射型表示装置
２  光源部
３  ミラー
１０  透過型スクリーン
２０，２０−２  フレネルレンズシート
２１，２１−２  レンチキュラーレンズ部
２２，２２−２  フレネルレンズ部
３０  拡散板
４１，４３，５１  メス型
４２  オス型
Ｔ  切削工具
Ｂ  バリ
Ｗ  波打ち
Ｎ  希硝酸溶液
【図１】
2006126452.tif 000003
【図２】
2006126452.tif 000004
【図３−１】
2006126452.tif 000005
【図３−２】
2006126452.tif 000006
【図４】
2006126452.tif 000007
【図５】
2006126452.tif 000008
【図６】
2006126452.tif 000009
【図７】
2006126452.tif 000010
【図８】
2006126452.tif 000011